(57)【要約】【課題】自動車の座席に置いた手荷物を座席の形状や荷物の種類に関係なく、安定して保持できる小荷物保持装置を提供する。【解決手段】手荷物を吊り下げるためのフックを取り付けた本体内に、先端にフックを有する紐を巻きつけたリールを複数個内蔵し、ゼンマイにより紐の伸縮を自在にするとともに、紐の伸縮を制御し固定させるロック機構を設ける。【選択図】図１
2018027766.tif 000002
【特許請求の範囲】
【請求項１】
荷物の吊り下げや固定を目的として主に自動車の座席の背もたれ部分に用いる器具であり、
（イ）買い物袋やレジ袋の持ち手部分を吊り下げられるフックを取り付けた本体に、ゼンマイにより紐の出し入れを自在にしたリールを複数内蔵し、
（ロ）その紐の先端にも荷物を吊り下げる、あるいは紐同士を繋ぐことで用途の幅を広げるためのフックを有し、
（ハ）紐またはリールのドラム部分を固定させるストッパーを備えることで、紐の出し入れを制限し、荷物や使い方に応じて紐の長さを自在に調整して使用できる、
上記（イ）（ロ）（ハ）を特徴とする小荷物保持装置。
【発明の詳細な説明】
【技術分野】
【０００１】本発明は、自動車の座席等に用いる小荷物保持装置に関する。
【背景技術】
【０００２】自動車の座席等に用いて荷物を吊り下げるためのフック装置は多数存在するが、その殆どがヘッドレストの支柱部分に取り付けて使用するものである。【０００３】市販または考案されている多くのものが、フックを用いて荷物を吊り下げることを主体としており、持ち手が無く吊り下げに適さない荷物を保持できるようにはなっていない。
【先行技術文献】
【特許文献】
【０００４】
【特許文献１】
【非特許文献】
【非特許文献】  特開平  １１−１２９８１９  特開  ２０１４−２０５４７７  実開平  ０６−０７１３３９  実開平  ０５−０５８４９１  特開  ２００６−０４３２４２  実登  ３０６８８４０
【発明の概要】
【発明が解決しようとする課題】
【０００５】既存のものは、自動車の座席背もたれのヘッドレストの支柱部分に取り付けて使用するものばかりで、異なる構造の座席でも使用できるものが無かった。
座席の形状を問わず使用できるようにする。【０００７】既存のものは、一つの荷物しか吊り下げられず大きさの異なる複数の荷物に対応するのに適さないものが多い。
大きさの異なる複数の荷物も同時に吊り下げられるものにする。【０００８】既存のものは、手提げ袋など持ち手のあるものを吊り下げるということしかできず、箱やビンなどのように持ち手や取っ手や柄が無いものを保持することができなかった。
そのような吊り下げられない荷物も安定して保持できるようにして、利用範囲を広げる。
【課題を解決するための手段】
【０００９】紐を巻きつけたリールを複数個、本体に内蔵させる。図１では四つのリールを内蔵させている。そのリールに巻かれた紐は通常は本体内に収まっているが、引っ張れば１メートルほど引き出せて、手を放せばまた本体内に引き込まれるようゼンマイで付勢させる。紐の先端には手提げ袋やレジ袋の持ち手を掛けられるようなフックを取り付ける。
また、本体の一角にも同様のフックを直接取り付ける。図１では二股のフックを取り付け、使用しないときには畳んで収納できるようになっている。【００１０】リールのドラム部分または紐そのものにロック機構を設け、ロックが掛かった状態では紐を引き出すことも本体内に戻ることも出来ないようにする。
図に示したのは、リールの外周部とストッパーに歯車状の引っ掛かりを設け、ストッパーの歯車状部分をリールに押し付け噛み合わせることでロックする方式の一例である。
【発明の効果】
【００１２】支柱を用いないタイプのヘッドレストの座席や、バスの補助席のようなヘッドレストを有しない座席でもフックを取り付けることが可能で、異なる大きさの複数の手荷物も無理なく同時に吊り下げることができるようになる。【００１３】持ち手や取っ手の無い荷物や、ケーキの箱や一升瓶などといった吊り下げることが困難な荷物でも安定して保持できるようになる。【００１４】座席以外に、車椅子や歩行器などでも使える。【００１５】コンパクトなので、邪魔にならない。
【図面の簡単な説明】
【００１６】
【図１】本発明の外観図である。
【図２】本発明の内部の様子を正面（ｘ方向）から見た図である。
【図３】本発明の内部の様子を横（ｙ方向）から見た図である。
【図４】本発明の内部の様子を上（ｚ方向）から見た図である。
【図５】本発明をヘッドレストが無い座席に用いて荷物を保持する場合の例である。四本の紐は、座席の背面でそれぞれのフックによって結合し合うことで本体と荷物を安定させている。
【図６】本発明を用いて、瓶を保持させる場合の例である。紐は上の二本と下の二本をそれぞれ座席の背面で結合させてある。
【図７】本発明を用いて、座席の後ろに置いた荷物を保持するための例である。
【発明を実施するための形態】
【００１７】手提げ類を保持する場合は、紐を伸ばして座席のヘッドレストの支柱にフックを掛けるか紐を回して背もたれの後ろでフック同士を結合させるかして、紐をロックし本体を固定させ、余ったフックに荷物を下げる。荷物の大きさに合わせて紐の長さを調整する。
【００１８】ケーキが入った箱など、傾かせたくない荷物を保持する場合は、まず座面に荷物を置き、荷物ごと背もたれを抱き込むように紐を回し背もたれの後ろでフック同士を結合させ、本体と背もたれの間に荷物を挟むような形で紐をロックし固定する。
【符号の説明】
【００１９】１・・・・・本体部分である。
１ａ・・・・本体から紐３ａが出入りする穴である。
１ｂ・・・・本体から紐３ｂが出入りする穴である。
１ｃ・・・・本体から紐３ｃが出入りする穴である。
１ｄ・・・・本体から紐３ｄが出入りする穴である。
２ａ・・・・紐３ａの伸縮を制限するストッパーである。
２ｂ・・・・紐３ｂの伸縮を制限するストッパーである。
２ｃ・・・・紐３ｃの伸縮を制限するストッパーである。
２ｄ・・・・紐３ｄの伸縮を制限するストッパーである。
３ａ・・・・本体内のリール５ａに巻かれている紐である。
３ｂ・・・・本体内のリール５ｂに巻かれている紐である。
３ｃ・・・・本体内のリール５ｃに巻かれている紐である。
３ｄ・・・・本体内のリール５ｄに巻かれている紐である。
４ａ・・・・紐３ａの先端に付いているフックである。
４ｂ・・・・紐３ｂの先端に付いているフックである。
４ｃ・・・・紐３ｃの先端に付いているフックである。
４ｄ・・・・紐３ｄの先端に付いているフックである。
５ａ・・・・紐３ａを巻くリールである。
５ｂ・・・・紐３ｂを巻くリールである。
５ｃ・・・・紐３ｃを巻くリールである。
５ｄ・・・・紐３どぉ巻くリールである。
６ａ・・・・リール５ａのゼンマイである。
６ｂ・・・・リール５ｂのゼンマイである。
６ｃ・・・・リール５ｃのゼンマイである。
６ｄ・・・・リール５ｄのゼンマイである。
７・・・・・本体に直接取り付けられた折り畳めるフックである。
８・・・・・リールの芯部である。本図では二本あり、リール５ａと５ｃ、５ｂと５ｄが            それぞれ共用している。
【図１】
2018027766.tif 000003
【図２】
2018027766.tif 000004
【図３】
2018027766.tif 000005
【図４】
2018027766.tif 000006
【図５】
2018027766.tif 000007
【図６】
2018027766.tif 000008
【図７】
2018027766.tif 000009